(57)【要約】      （修正有）【課題】全系が小型でありながら、大口径比で高いズーム比を有し、全ズーム範囲にわたり高い光学性能を有するズームレンズを得る。【解決手段】物体側より像側へ順に配置された、正の屈折力の第１レンズ群Ｌ１、負の屈折力の第２レンズ群Ｌ２、正の屈折力の第３レンズ群Ｌ３、正の屈折力の第４レンズ群Ｌ４、負の屈折力の第５レンズ群Ｌ５、一つ以上のレンズ群を有する後群より構成され、ズーミングに際して、隣り合うレンズ群の間隔が変化し、第２レンズ群の焦点距離ｆ２、第４レンズ群の焦点距離ｆ４、広角端及び望遠端における第２レンズ群の光軸方向での位置の差Ｍ２、広角端及び望遠端における第４レンズ群の光軸方向での位置の差Ｍ４を適切に設定したこと。【選択図】図１
2020085915.tif 000002
【特許請求の範囲】
【請求項１】
物体側より像側へ順に配置された、正の屈折力の第１レンズ群、負の屈折力の第２レンズ群、正の屈折力の第３レンズ群、正の屈折力の第４レンズ群、負の屈折力の第５レンズ群、一つ以上のレンズ群を有する後群より構成され、
ズーミングに際して、前記第１レンズ群は不動であり、前記第２レンズ群と前記第４レンズ群が移動し、隣り合うレンズ群の間隔が変化し、
広角端に比べて望遠端において、前記第１レンズ群と前記第２レンズ群の間隔が広く、前記第２レンズ群と前記第３レンズ群の間隔が狭く、前記第３レンズ群と前記第４レンズ群の間隔が狭く、
前記第２レンズ群の焦点距離をｆ２、前記第４レンズ群の焦点距離をｆ４、広角端及び望遠端における前記第２レンズ群の光軸方向での位置の差をＭ２、広角端及び望遠端における前記第４レンズ群の光軸方向での位置の差をＭ４とするとき、
４．０＜｜ｆ４／ｆ２｜＜８．０
２．０＜｜Ｍ２／Ｍ４｜＜７．０
なる条件式を満足することを特徴とするズームレンズ。
【請求項２】
前記第３レンズ群において最も物体側に配置されたレンズは正の屈折力を有し、該レンズの物体側のレンズ面は凸形状の非球面であることを特徴とする請求項１に記載のズームレンズ。
【請求項３】
前記第４レンズ群は正レンズを有することを特徴とする請求項１又は２に記載のズームレンズ。
【請求項４】
前記第５レンズ群は、像側のレンズ面が凹形状である負レンズを有することを特徴とする請求項１乃至３の何れか一項に記載のズームレンズ。
【請求項５】
無限遠から近距離へのフォーカシングに際し、前記後群の少なくとも一部が物体側に移動することを特徴とする請求項１乃至４の何れか一項に記載のズームレンズ。
【請求項６】
前記第３レンズ群の焦点距離をｆ３とするとき、
０．４＜ｆ４／ｆ３＜１．３
なる条件式を満足することを特徴とする請求項１乃至５の何れか一項に記載のズームレンズ。
【請求項７】
前記第１レンズ群の焦点距離をｆ１、前記第３レンズ群の焦点距離をｆ３とするとき、
０．８＜ｆ１／ｆ３＜２．０
なる条件式を満足することを特徴とする請求項１乃至６の何れか一項に記載のズームレンズ。
【請求項８】
前記第１レンズ群の焦点距離をｆ１とするとき、
０．９＜ｆ１／ｆ４＜２．５
なる条件式を満足することを特徴とする請求項１乃至７の何れか一項に記載のズームレンズ。
【請求項９】
前記第３レンズ群の焦点距離をｆ３とするとき、
４．０＜｜ｆ３／ｆ２｜＜８．０
なる条件式を満足することを特徴とする請求項１乃至８の何れか一項に記載のズームレンズ。
【請求項１０】
広角端における前記第３レンズ群の最も物体側のレンズ面から前記第５レンズ群の最も像側のレンズ面までの光軸上での距離をＤ３５ｗ、広角端における前記第３レンズ群の最も物体側のレンズ面から像面までの光軸上での距離をＤｒｅａｒｗとするとき、
０．３＜Ｄ３５ｗ／Ｄｒｅａｒｗ＜０．５
なる条件式を満足することを特徴とする請求項１乃至９の何れか一項に記載のズームレンズ。
【請求項１１】
前記後群は、物体側から像側へ順に配置された、正の屈折力の第６レンズ群、負の屈折力の第７レンズ群、正の屈折力の第８レンズ群より構成されることを特徴とする請求項１乃至１０の何れか一項に記載のズームレンズ。
【請求項１２】
請求項１乃至１１の何れか一項に記載のズームレンズと、該ズームレンズによって形成された像を受光する撮像素子を有することを特徴とする撮像装置。
【請求項１３】
請求項１乃至１１の何れか一項に記載のズームレンズと、ズーミングに際して前記ズームレンズを制御する制御部を有することを特徴とする撮像システム。
【請求項１４】
前記制御部は、前記ズームレンズとは別体として構成されており、前記ズームレンズを制御するための制御信号を送信する送信部を有することを特徴とする請求項１３に記載の撮像システム。
【請求項１５】
前記制御部は、前記ズームレンズとは別体として構成されており、前記ズームレンズを操作するための操作部を有することを特徴とする請求項１３又は１４に記載の撮像システム。
【請求項１６】
前記ズームレンズのズームに関する情報を表示する表示部を有することを特徴とする請求項１３乃至１５の何れか一項に記載の撮像システム。
【発明の詳細な説明】
【技術分野】
【０００１】
本発明はズームレンズに関するものであり、特に、監視カメラ、デジタルカメラ、ビデオカメラ等の撮像装置に用いられる撮像光学系として好適なものである。
【背景技術】
【０００２】
撮像装置に用いられる撮像光学系は、高いズーム比を持ちつつ高い光学性能を有するズームレンズであることが求められている。これらの要求に応えるズームレンズとして、最も物体側に正の屈折力の１レンズ群が配置されたポジティブリード型のズームレンズが知られている。
【０００３】
特許文献１には、正、負、正、正、負、正の屈折力の第１レンズ群乃至第６レンズ群より成るズームレンズや、正、負、正、負、正の屈折力の第１レンズ群乃至第５レンズ群より成るズームレンズが開示されている。特許文献２には、正、負、正、負、正、負、正の屈折力の第１レンズ群乃至第７レンズ群より成るズームレンズが開示されている。
【先行技術文献】
【特許文献】
【０００４】
【特許文献１】特開２０１７−１９１１２８号公報
【特許文献２】特開２０１７−２０７６６８号公報
【発明の概要】
【発明が解決しようとする課題】
【０００５】
ここで、上述の要求に応えつつ全系の更なる小型化と大口径比化を実現するためには、各レンズ群の屈折力や、ズーミングに際しての各レンズ群の移動軌跡等を適切に設定することが重要になる。
【０００６】
本発明は、全系が小型でありながら、高いズーム比と大口径比を有し、全ズーム範囲にわたり高い光学性能を有するズームレンズ及びそれを有する撮像装置の提供を目的とする。
【課題を解決するための手段】
【０００７】
本発明のズームレンズは、物体側より像側へ順に配置された、正の屈折力の第１レンズ群、負の屈折力の第２レンズ群、正の屈折力の第３レンズ群、正の屈折力の第４レンズ群、負の屈折力の第５レンズ群、一つ以上のレンズ群を有する後群より構成され、ズーミングに際して隣り合うレンズ群の間隔が変化するズームレンズにおいて、ズーミングに際し、前記第１レンズ群は不動で、前記第２レンズ群と前記第４レンズ群が移動し、望遠端では、広角端に比べて、前記第１レンズ群と前記第２レンズ群の間隔が広く、前記第２レンズ群と前記第３レンズ群の間隔が狭く、前記第３レンズ群と前記第４レンズ群の間隔が狭く、前記第２レンズ群の焦点距離をｆ２、前記第４レンズ群の焦点距離をｆ４、広角端と望遠端における前記第２レンズ群の光軸方向の位置の差をＭ２、広角端と望遠端における前記第４レンズ群の光軸方向の位置の差をＭ４とするとき、
４．０＜｜ｆ４／ｆ２｜＜８．０
２．０＜｜Ｍ２／Ｍ４｜＜７．０
なる条件式を満足することを特徴としている。
【発明の効果】
【０００８】
本発明によれば、全系が小型でありながら、高いズーム比と大口径比を有し、全ズーム範囲にわたり高い光学性能を有するズームレンズが得られる。
【図面の簡単な説明】
【０００９】
【図１】実施例１のズームレンズの広角端における断面図
【図２】実施例１のズームレンズの広角端、中間ズーム位置、望遠端における収差図
【図３】実施例２のズームレンズの広角端における断面図
【図４】実施例２のズームレンズの広角端、中間ズーム位置、望遠端における収差図
【図５】実施例３のズームレンズの広角端における断面図
【図６】実施例３のズームレンズの広角端、中間ズーム位置、望遠端における収差図
【図７】実施例４のズームレンズの広角端における断面図
【図８】実施例４のズームレンズの広角端、中間ズーム位置、望遠端における収差図
【図９】実施例５のズームレンズの広角端における断面図
【図１０】実施例５のズームレンズの広角端、中間ズーム位置、望遠端における収差図
【図１１】実施例１のズームレンズとドームカバー及び保護カバーの断面図
【図１２】実施形態の撮像装置（監視カメラ）と使用例
【図１３】実施例１のズームレンズのズーム軌跡の説明図
【発明を実施するための形態】
【００１０】
以下、本発明の実施形態に係るズームレンズ及びそれを有する撮像装置について説明する。
【００１１】
本実施形態のズームレンズは、物体側より像側へ順に配置された、正の屈折力の第１レンズ群、負の屈折力の第２レンズ群、正の屈折力の第３レンズ群、正の屈折力の第４レンズ群、負の屈折力の第５レンズ群、一つ以上のレンズ群を有する後群より構成されている。ズーミングに際して隣り合うレンズ群の間隔が変化する。ズーミングに際し、第１レンズ群は不動で、第２レンズ群と第４レンズ群が移動する。望遠端では、広角端に比べて、第１レンズ群と第２レンズ群の間隔が広く、第２レンズ群と第３レンズ群の間隔が狭く、第３レンズ群と前記第４レンズ群の間隔が狭い。
【００１２】
図１，３，５，７，９は、本発明の実施例１乃至５のズームレンズの広角端（短焦点距離端）における断面図である。図２，４，６，８，１０は、実施例１乃至５のズームレンズの収差図である。各収差図は、それぞれ上から順に（Ａ）広角端、（Ｂ）中間ズーム位置、（Ｃ）望遠端（最長焦点距離）における収差を示している。
【００１３】
実施例１はズーム比３８．４５、Ｆナンバー１．２０〜４．９０のズームレンズである。実施例２はズーム比３８．４５、Ｆナンバー１．２０〜４．９０のズームレンズである。実施例３はズーム比３８．４５、Ｆナンバー１．２０〜４．９０のズームレンズである。実施例４はズーム比３８．４５、Ｆナンバー１．２０〜４．９０のズームレンズである。実施例５はズーム比３８．４５、Ｆナンバー１．２０〜４．９０のズームレンズである。
【００１４】
各実施例のズームレンズはビデオカメラ、デジタルカメラ、ＴＶカメラ、監視カメラ等の撮像装置に用いられる撮像光学系である。断面図において、左方が被写体側（物体側）（前方）で、右方が像側（後方）である。断面図において、Ｌ０はズームレンズである。ｉは物体側からのレンズ群の順番を示し、Ｌｉは第ｉレンズ群である。ＬＲは一つ以上のレンズ群を有する後群である。
【００１５】
断面図において、ＳＰは開口絞りであり、第３レンズ群Ｌ３の物体側に配置している。断面図において、Ｇは光学フィルター、フェースプレート、水晶ローパスフィルター、赤外カットフィルター等に相当する光学素子である。ＩＰは像面であり、ビデオカメラやデジタルスチルカメラの撮像光学系として使用する際にはＣＣＤセンサやＣＭＯＳセンサ等の撮像素子（光電変換素子）が置かれる。
【００１６】
矢印は広角端から望遠端へのズーミング（変倍）に際して、各レンズ群の移動軌跡と、フォーカシングの際のレンズ群の移動方向を示している。収差図のうち球面収差において、実線のｄはｄ線（波長５８７．６ｎｍ）、２点鎖線のｇはｇ線（波長４３５．８ｎｍ）である。非点収差図において点線のＭはｄ線のメリディオナル像面、実線のＳはｄ線のサジタル像面である。倍率色収差はｄ線に対するｇ線によって表している。ωは半画角（撮影画角の半分の値）（度）、ＦｎｏはＦナンバーである。
【００１７】
各実施例の断面図において、Ｌ１は正の屈折力の第１レンズ群、Ｌ２は負の屈折力の第２レンズ群、Ｌ３は正の屈折力の第３レンズ群、Ｌ４は正の屈折力の第４レンズ群である。Ｌ５は負の屈折力の第５レンズ群Ｌ５である。ＬＲは後群である。後群ＬＲは物体側から像側へ順に正の屈折力の第６レンズ群Ｌ６、負の屈折力の第７レンズ群Ｌ７、正の屈折力の第８レンズ群Ｌ８より構成されている。各実施例は８群ズームレンズである。
【００１８】
実施例１乃至３ではズーミングに際して、第２レンズ群Ｌ２、第４レンズ群Ｌ４乃至第７レンズ群Ｌ７が移動する。実施例４ではズーミングに際して、第２レンズ群Ｌ２、第４レンズ群Ｌ４、第６レンズ群Ｌ６、第７レンズ群Ｌ７が移動する。実施例５ではズーミングに際して、第２レンズ群Ｌ２乃至第７レンズ群Ｌ７が移動する。
【００１９】
本発明のズームレンズが有する各レンズ群のズーミングにおける移動方法に関し、実施例１を例にとり図１４（Ａ）、（Ｂ）、（Ｃ）を用いて説明する。
【００２０】
まず、高ズーム比のズームレンズの第１レンズ群Ｌ１は、有効径が大きくなるため重量が大きくなり、ズーミングの際の駆動において迅速かつ高精度な追従が困難となる。このため、本発明では、ズーミングに際して第１レンズ群Ｌ１を不動として、装置全体の小型化及び軽量化を図っている。ズーミングに際して、第２レンズ群Ｌ２、第４レンズ群Ｌ４、第６レンズ群Ｌ６、第７レンズ群Ｌ７をそれぞれ独立に移動させている。
【００２１】
具体的には第２レンズ群Ｌ２を物体側から像側へ単調移動して変倍し、それと同時に第６レンズ群Ｌ６を物体側に凸状となる軌跡で移動し、第４レンズ群Ｌ４と第７レンズ群Ｌ７は、少なくとも変曲点を１以上持つような軌跡で移動している。
【００２２】
このような各レンズ群の移動軌跡を形成するために、広角端においては、第２レンズ群乃至第７レンズ群の各々のレンズ群の間隔を適正に確保し、小型でかつ高ズーム比化しやすい構成としている。
【００２３】
フォーカシングに関しては、第５レンズ群Ｌ５より像側に配置される後群のうちのひとつである、第６レンズ群Ｌ６が担っている。なお、フォーカシングは、第６レンズ群Ｌ６に限らず、その他のレンズ群を単独、もしくは複数のレンズ群を用いておこなっても良い。
【００２４】
広角端の大口径比化を図りつつ、高いズーム比を得るために、第３レンズ群Ｌ３、第４レンズ群Ｌ４、そして第５レンズ群Ｌ５を、以下のように構成している。
【００２５】
まず、物体側から像側へ順に正の屈折力の第３レンズ群Ｌ３と正の屈折力の第４レンズ群Ｌ４とを連続して配置し、更にその像側に負の屈折力の第５レンズ群Ｌ５を配置することで、広角端における諸収差、特に球面収差や像面湾曲を良好に補正している。更に、望遠端では広角端に比べて第３レンズ群Ｌ３と第４レンズ群Ｌ４との間隔が狭くなるよう配置することで、第３レンズ群Ｌ３と第４レンズ群Ｌ４とでズーム比が増加する効果を得て高いズーム比を実現している。
【００２６】
各実施例においてズーミングに際し、第１レンズ群Ｌ１と第３レンズ群Ｌ３は、不動であっても、移動しても良い。実施例１、２、３、４では、ズーミングに際し、第３レンズ群Ｌ３は不動である。実施例４では、第５レンズ群Ｌ５は不動である。第３レンズ群Ｌ３と第５レンズ群Ｌ５を、ズーミングに際して移動させると、ズーミングの際に発生する諸収差、特に像面湾曲とコマ収差の変動を低減することが容易となり、より良好な光学性能が得られる。
【００２７】
一方で、第３レンズ群Ｌ３と第５レンズ群Ｌ５を、ズーミングに際して不動とすると、各々のレンズ群を移動させるための機構が不要となるため、装置全体の簡素化と小型化が容易となる。
【００２８】
また、各実施例において、第２レンズ群Ｌ２の焦点距離をｆ２、第４レンズ群Ｌ４の焦点距離をｆ４とする。広角端と望遠端における第２位レンズ群Ｌ２の光軸方向での位置の差（広角端から望遠端へのズーミングにおける移動量）をＭ２、広角端と望遠端における第４レンズ群Ｌ４の光軸方向での位置の差をＭ４とする。このとき、各実施例に係るズームレンズは、以下の条件式（１）、（２）を満足する。
【００２９】
４．０＜｜ｆ４／ｆ２｜＜８．０            ・・・（１）
２．０＜｜Ｍ２／Ｍ４｜＜７．０            ・・・（２）
ここで各レンズ群の位置の差（移動量）の符号は、広角端に比べて望遠端において像側に位置するときを正、物体側に位置するときを負とする。
【００３０】
次に前述の各条件式の技術的意味について説明する。
【００３１】
条件式（１）は、第２レンズ群Ｌ２の屈折力（焦点距離の逆数）と第４レンズ群Ｌ４の屈折力の比を規定している。条件式（１）は、主に広角端における大口径比化と、高ズーム比化を図りつつ高い光学性能を得るためのものである。条件式（１）の上限を超えると、第２レンズ群Ｌ２の負の屈折力が過剰に強くなり（負の屈折力の絶対値が大きくなり）、ズーミングに際して像面湾曲や非点収差の変動を抑制することが困難となる。更に、第４レンズ群Ｌ４の正の屈折力が過剰に弱くなり、第４レンズ群Ｌ４のズーム比の増大効果が不十分となるため好ましくない。
【００３２】
条件式（１）の下限を超えると、第４レンズ群Ｌ４の正の屈折力が過剰に強くなり、広角端における像面湾曲やコマ収差が補正不足となるため好ましくない。
【００３３】
条件式（２）は望遠端と広角端での、第２レンズ群Ｌ２の光軸上の位置の差と、第４レンズ群Ｌ４の光軸上の位置の差との比を規定する。条件式（２）は主に高ズーム比化とズームレンズの小型化を図るためのものである。条件式（２）の上限を超えると、第２レンズ群Ｌ２の、望遠端と広角端での位置の差が過剰に大きくなり、ズームレンズ全体の長大化とともに前玉有効径が増大するため、好ましくない。
【００３４】
条件式（２）の下限を超えると、第４レンズ群Ｌ４の、望遠端と広角端での位置の差が過剰に大きくなり、広角端の大口径比化に伴い、レンズ外径を大きくする必要がある第４レンズ群Ｌ４の駆動機構が長大化し、装置全体が大型化するため、好ましくない。
【００３５】
各実施例において、好ましくは条件式（１）、（２）の数値範囲を次の如く設定するのが良い。
【００３６】
４．０＜｜ｆ４／ｆ２｜＜６．０            ・・・（１ａ）
３．０＜｜Ｍ２／Ｍ４｜＜６．０            ・・・（２ａ）
更に好ましくは、条件式（１ａ）、（２ａ）の数値範囲を次の如く設定するのが良い。
【００３７】
４．２＜｜ｆ４／ｆ２｜＜５．５            ・・・（１ｂ）
４．２＜｜Ｍ２／Ｍ４｜＜５．３            ・・・（２ｂ）
各実施例を、以上のように構成することにより、広角端の大口径比化へ対応しつつも、高いズーム比を有し、小型でかつ高い光学性能を有したズームレンズを得ている。
【００３８】
各実施例において更に好ましくは、次の諸条件のうち１以上を満足するのが良い。
【００３９】
第３レンズ群Ｌ３の焦点距離をｆ３とする。第１レンズ群Ｌ１の焦点距離をｆ１とする。広角端における、第３レンズ群Ｌ３の最も物体側のレンズ面から、第５レンズ群Ｌ５の最も像側のレンズ面までの、光軸上の距離をＤ３５ｗとする。広角端における、第３レンズ群Ｌ３の最も物体側のレンズ面から、結像面までの、光軸上の距離をＤｒｅａｒｗとする。
【００４０】
このとき、次の条件式のうち一つ以上を満足するのが良い。
【００４１】
０．４＜ｆ４／ｆ３＜１．３                ・・・（３）
０．８＜ｆ１／ｆ３＜２．０                ・・・（４）
０．９＜ｆ１／ｆ４＜２．５                ・・・（５）
４．０＜｜ｆ３／ｆ２｜＜８．０            ・・・（６）
０．３＜Ｄ３５ｗ／Ｄｒｅａｒｗ＜０．５    ・・・（７）
次に前述の条件式の技術的意味について説明する。
【００４２】
条件式（３）は、第３レンズ群Ｌ３の屈折力と第４レンズ群Ｌ４の屈折力との比を規定しており、主に広角端において大口径比化を図りつつ高ズーム比化を図るためのものである。
【００４３】
条件式（３）の上限を超えると、第３レンズ群Ｌ３の正の屈折力が過剰に強くなり、広角端において球面収差や像面湾曲の補正が困難となるため、好ましくない。また、第４レンズ群Ｌ４の正の屈折力が過剰に弱くなり、第４レンズ群Ｌ４の高ズーム比化への寄与が不十分となり、好ましくない。条件式（３）の下限を超えると、第４レンズ群Ｌ４の正の屈折力が過剰に強くなり、広角端において像面湾曲や非点収差の補正が困難となるため、好ましくない。
【００４４】
条件式（４）は、第１レンズ群Ｌ１の屈折力と第３レンズ群Ｌ３の屈折力との比を規定しており、主にズームレンズの小型化と広角端において大口径比化を図るためのものである。条件式（４）の上限を超えると、第３レンズ群Ｌ３の正の屈折力が過剰に強くなり、広角端において球面収差や像面湾曲の補正が困難となるため、好ましくない。また、第１レンズ群Ｌ１の正の屈折力が過剰に弱くなり、ズームレンズ全体が長大化してくるので良くない。条件式（４）の下限を超えると、第１レンズ群Ｌ１の正の屈折力が過剰に強くなり、望遠端において球面収差や非点収差の補正が困難となるため、好ましくない。
【００４５】
条件式（５）は、第１レンズ群Ｌ１の正の屈折力と第４レンズ群Ｌ４の正の屈折力との比を規定しており、主にズームレンズの小型化を図りつつ広角端において大口径比化を図るためのものである。
【００４６】
条件式（５）の上限を超えると、第４レンズ群Ｌ４の正の屈折力が過剰に強くなり、広角端において像面湾曲や非点収差の補正が困難となるため、好ましくない。また、第１レンズ群Ｌ１の正の屈折力が過剰に弱くなり、ズームレンズ全体が長大化してくるので良くない。条件式（５）の下限を超えると、第１レンズ群Ｌ１の正の屈折力が過剰に強くなり、望遠端において球面収差や非点収差の補正が困難となるため、好ましくない。また、第４レンズ群Ｌ４の正の屈折力が過剰に弱くなり、第４レンズ群Ｌ４の高ズーム比化への寄与が不十分となり、好ましくない。
【００４７】
条件式（６）は、第２レンズ群Ｌ２の負の屈折力と第３レンズ群Ｌ３の正の屈折力との比を規定しており、主に高ズーム比化と広角端において大口径比化を図るためのものである。
【００４８】
条件式（６）の上限を超えると、第２レンズ群Ｌ２の負の屈折力が過剰に強くなり、ズーミングに際して像面湾曲や非点収差の変動を抑制することが困難となるため好ましくない。条件式（６）の下限を超えると、第３レンズ群Ｌ３の正の屈折力が過剰に強くなり、広角端において球面収差や像面湾曲の補正が困難となるため、好ましくない。また、第２レンズ群Ｌ２の負の屈折力が過剰に弱くなり、高ズーム比化の達成にあたり、広角端より望遠端へのズーミングに際して第２レンズ群Ｌ２の移動量が長くなるため、ズームレンズ全体が長大化するため良くない。
【００４９】
条件式（７）は、広角端における、第３レンズ群Ｌ３の最も物体側のレンズ面から第５レンズ群Ｌ５の最も像側のレンズ面までの、光軸上の距離と、第３レンズ群Ｌ３の最も物体側のレンズ面から結像面までの、光軸上の距離との比を規定している。条件式（７）は、主にズームレンズの小型化と広角端において大口径比化を図るためのものである。
【００５０】
条件式（７）の上限を超えると、広角端において、第３レンズ群Ｌ３の最も物体側のレンズ面から、第５レンズ群Ｌ５の最も像側のレンズ面までの、光軸上の距離が過剰に長くなり、広角端においてズームレンズが長大化してくるため、好ましくない。条件式（７）の下限を超えると、広角端において、第３レンズ群Ｌ３の最も物体側のレンズ面から、第５レンズ群Ｌ５の最も像側のレンズ面までの、光軸上の距離が過剰に短くなり、広角端において像面湾曲や非点収差の補正が困難となり、好ましくない。
【００５１】
なお、各実施例において、収差補正上更に好ましくは、条件式（３）乃至（７）の数値範囲を次の如く設定するのが好ましい。
【００５２】
０．５＜ｆ４／ｆ３＜１．２                ・・・（３ａ）
１．０＜ｆ１／ｆ３＜１．８                ・・・（４ａ）
１．０＜ｆ１／ｆ４＜２．０                ・・・（５ａ）
４．４＜｜ｆ３／ｆ２｜＜７．０            ・・・（６ａ）
０．３５＜Ｄ３５ｗ／Ｄｒｅａｒｗ＜０．４６・・・（７ａ）
より更に好ましくは、条件式（３ａ）乃至（７ａ）の数値範囲を次の如く設定するのが良い。
【００５３】
０．６＜ｆ４／ｆ３＜１．１                ・・・（３ｂ）
１．１＜ｆ１／ｆ３＜１．６                ・・・（４ｂ）
１．２＜ｆ１／ｆ４＜１．８                ・・・（５ｂ）
４．６＜｜ｆ３／ｆ２｜＜６．６            ・・・（６ｂ）
０．３７＜Ｄ３５ｗ／Ｄｒｅａｒｗ＜０．４５・・・（７ｂ）
各実施例では、以上のように各要素を構成することで、広角端の大口径比化へ対応しつつも、高いズーム比を有し、小型でかつ高い光学性能を有したズームレンズを得ている。
以上の条件式（３）乃至（７）を、任意に複数組み合わせれば、さらに本発明の効果を高めることができる。
【００５４】
各実施例において好ましい構成について説明する。
【００５５】
第３レンズ群Ｌ３は、最も物体側に、物体側のレンズ面が凸面で非球面形状の、正レンズを配置している。第３レンズ群Ｌ３を、上記の構成とすることで、第２レンズ群Ｌ２より発散された軸上光束を収斂し、球面収差の補正に好ましい構成としている。第４レンズ群Ｌ４は、少なくとも１枚の正レンズを有し、第５レンズ群Ｌ５は、１枚以上の負レンズを有している。更に、第５レンズ群Ｌ５は最も像側のレンズ面が凹面の負レンズで構成されている。
【００５６】
第３レンズ群Ｌ３では、軸上光束とともに、軸外光束も同時に収斂している。第４レンズ群Ｌ４と第５レンズ群Ｌ５とを、上記の構成とすることで、第３レンズ群Ｌ３で発生する、軸上光束と軸外光束との収斂の差異、つまり像面湾曲や非点収差といった諸収差の補正に好ましい構成となっている。
【００５７】
被写体距離が無限遠から近距離へ変化する際のフォーカシングは、第５レンズ群Ｌ５より像側に配置される、後群ＬＲの全体または一部のレンズ群を光軸方向の物体側へ移動して行っている。第１レンズ群Ｌ１は、有効径が大きくなるため重量が大きくなる。このため、フォーカシングをおこなうレンズ群に設定するのは好ましくない。また、高ズーム比のズームレンズにおいて、主たる変倍を担う第２レンズ群Ｌ２をフォーカシングの際に移動させてしまうと、特に望遠側において、フォーカシング時の画角変化が増大するため好ましくない。
【００５８】
第３レンズ群Ｌ３、第４レンズ群Ｌ４、第５レンズ群Ｌ５は、広角端において大口径比化を達成するため、広角端における球面収差等の諸収差の補正や、変倍に際し発生する諸収差の変動を、レンズ構成や移動軌跡により抑制している。
【００５９】
上記の役割を担う、第３レンズ群Ｌ３乃至第５レンズ群Ｌ５をフォーカシングに際し駆動させると、フォーカシングに伴う球面収差や像面湾曲等の変動が増大してしまい、好ましくない。そこで、フォーカシングに際しての、光学性能の変動を効果的に抑制するためには、第５レンズ群Ｌ５より像側に配置される、後群ＬＲの全体または一部のレンズ群の光軸方向への移動でフォーカシングをおこなうことが好ましい。
【００６０】
開口絞りＳＰの開口径は、ズーミングの際に一定としても、ズーミングに応じて変化させても良い。開口絞りＳＰの開口径をズーミングに際して変化させると、軸外マージナル光線をカットし、コマフレアを低減することができるため、より良好な光学性能を得られる。
【００６１】
なお、本発明のズームレンズにおいて収差補正上、好ましくは次の如く構成するのが良い。
【００６２】
第５レンズ群Ｌ５より像側に配置され、全体で正の屈折力を有する後群ＬＲは、物体側から像側へ順に、正の屈折力の第６レンズ群Ｌ６、負の屈折力の第７レンズ群Ｌ７、正の屈折力の第８レンズ群Ｌ８を有するのが良い。広角端に比べて望遠端において、第６レンズ群Ｌ６と第７レンズ群Ｌ７の光軸上の間隔が狭くなるように、第６レンズ群Ｌ６と第７レンズ群Ｌ７の、少なくともいずれか一方を、ズーミングに際し光軸方向に移動させるのが良い。
【００６３】
第７レンズ群Ｌ７を、広角端から望遠端へのズーミングに際し、光軸方向に移動させる場合は、変曲点を少なくとも一つ以上有する移動軌跡で移動するのが良い。無限遠から近距離へのフォーカシングに際し、第６レンズ群Ｌ６が物体側方向へ移動するのが良い。
【００６４】
本発明のズームレンズによって形成された像を受光する固体撮像素子を有した撮像装置であることを特徴とする。これは、ズームレンズにより撮影された像を受光する素子を有した撮像装置に関するものである。近年はデジタル的に像を処理するためにＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサなどがおもに使用されている。本発明もこれに相当する固体撮像素子を有した撮像装置とするものである。また撮像装置は、例えば監視カメラとして使用する際にドームを取り付けた構成としても良い。
【００６５】
次に各実施例のレンズ構成を説明する。以下、レンズ構成は特に断りがない限り、物体側から像側へ順に配置されているものとして説明する。
【００６６】
各実施例において広角端と望遠端は、変倍用レンズ群が機構上光軸上移動可能な範囲の両端に位置したときのズーム位置をいう。各実施例において第６レンズ群Ｌ６に関する実線の曲線６ａと点線の曲線は６ｂ、各々無限遠と近距離にフォーカスしているときの広角端から望遠端のズーム位置への、像面変動を補正するための移動軌跡である。たとえば望遠端のズーム位置において無限遠から近距離へフォーカシングをおこなう場合には、矢印６Ｃに示すように第６レンズ群Ｌ６を物体側へ移動させる。
【００６７】
開口絞りＳＰは、第３レンズ群Ｌ３の物体側に配置しており、ズーミングに際して不動である。尚、第３レンズ群Ｌ３と一体的に移動させても良い。開口絞りＳＰは、第３レンズ群Ｌ３の像側や、たとえば第３レンズ群Ｌ３が複数のレンズで構成されている場合は、第３レンズ群Ｌ３内へ配置する構成としても良い。
【００６８】
更に開口絞りは、ズーミングに際して他のレンズ群と独立に移動させる構成としても良く、これによりズーミング中の各ズーム位置で軸外マージナル光線をカットし、コマフレアを低減することで、より良好な光学性能を得やすくなる。
【００６９】
（実施例１）
第１レンズ群Ｌ１は、次のレンズより構成されている。像側のレンズ面が凹でメニスカス形状の負レンズＧ１１と物体側のレンズ面が凸形状の正レンズＧ１２を接合した接合レンズ、物体側のレンズ面が凸形状の正レンズＧ１３、物体側のレンズ面が凸でメニスカス形状の正レンズＧ１４より構成している。
【００７０】
本実施例では、正レンズＧ１２、正レンズＧ１３、正レンズＧ１４の、３枚の正レンズを用いることにより、各レンズのレンズ面の屈折力を過剰に大きくせずに第１レンズ群Ｌ１が必要とする屈折力を得ている。そのため、特に高ズーム比化した際に、望遠端において、球面収差、コマ収差、軸上色収差等を効果的に補正している。
【００７１】
第２レンズ群Ｌ２は、像側の面が凹でメニスカス形状の負レンズＧ２１、両レンズ面が凹形状の負レンズＧ２２と両レンズ面が凸形状の正レンズＧ２３を接合した接合レンズ、物体側のレンズ面が凹で、両レンズ面が非球面形状の負レンズＧ２４より構成している。このレンズ構成により、広角端において像面湾曲の補正を良好に行い、またズーム全域において倍率色収差の補正を良好に行い、望遠端において球面収差の補正を、効果的におこなっている。
【００７２】
第３レンズ群Ｌ３は、物体側のレンズ面が凸で、両レンズ面が非球面形状の正レンズＧ３１より構成している。このレンズ構成により、広角端において球面収差の補正を効果的におこなっている。
【００７３】
第４レンズ群Ｌ４は、両レンズ面が凹形状の負レンズＧ４１、両レンズ面が凸形状で、像側のレンズ面が非球面形状の正レンズＧ４２より構成している。このレンズ構成により、広角端において非点収差やコマ収差の補正を効果的におこなっている。また、負レンズＧ４１を有することで、軸上色収差の発生を軽減している。
【００７４】
第５レンズ群Ｌ５は、像側のレンズ面が凹でメニスカス形状の負レンズＧ５１より構成している。このレンズ構成により、広角端において像面湾曲やコマ収差の補正を効果的におこなっている。
【００７５】
第６レンズ群Ｌ６は、物体側のレンズ面が凸形状で、物体側のレンズ面が非球面形状の正レンズＧ６１と物体側のレンズ面が凹でメニスカス形状のＧ６２を接合した接合レンズより構成している。第６レンズ群Ｌ６を、接合レンズのみの単一の光学要素で構成することにより、フォーカシングをおこなうための装置構成を簡素化している。
【００７６】
第７レンズ群Ｌ７は、像側のレンズ面が凹で、両レンズ面が非球面形状の負レンズＧ７１より構成している。このレンズ構成により、ズーム全域においてコマ収差や非点収差の補正を効果的におこなっている。
【００７７】
第８レンズ群Ｌ８は、両レンズ面が凸で、両レンズ面が非球面形状の正レンズＧ８１より構成している。このレンズ構成により、ズーム全域において結像面への光線の入射角や、レンズ全系のペッツバール和を効果的に制御している。
【００７８】
（実施例２）
第４レンズ群Ｌ４は、物体側のレンズが凸でメニスカス形状の負レンズＧ４１と両レンズ面が凸形状で像側面が非球面形状の正レンズＧ４２を接合した接合レンズより構成している。第４レンズ群Ｌ４を、接合レンズのみの単一光学要素で構成することにより、ズーミングに際し移動する第４レンズ群Ｌ４を駆動させるための装置構成を簡素化している。この他の構成は実施例１と同じである。
【００７９】
（実施例３）
第４レンズ群Ｌ４は、物体側のレンズ面が凹でメニスカス形状の負レンズＧ４１、両レンズ面が凸で、像側のレンズ面が非球面形状の正レンズＧ４２より構成している。このレンズ構成により、広角端において非点収差やコマ収差の補正を効果的におこなっている。また、負レンズＧ４１を有することで、軸上色収差の発生を軽減している。
【００８０】
第６レンズ群Ｌ６は、両レンズ面が凸で、物体側のレンズ面が非球面形状の正レンズＧ６１、物体側のレンズ面が凸でメニスカス形状の負レンズＧ６２と両レンズ面が凸形状の正レンズＧ６３を接合した接合レンズより構成している。
このレンズ構成により、フォーカシング時に発生する像面湾曲や非点収差の変動を軽減している。この他の構成は実施例１と同じである
（実施例４）
実施例４において各レンズ群の構成は、実施例１と同じである。ただし、実施例４ではズーミングに際し、第５レンズ群Ｌ５を不動とし、移動レンズ群を、第２レンズ群Ｌ２、第４レンズ群Ｌ４、第６レンズ群Ｌ６、第７レンズ群Ｌ７としている。レンズ口径が大型化する傾向にある第５レンズ群Ｌ５を不動とすることで、装置構成を簡素化し、カメラ全体の小型化をはかっている。
【００８１】
（実施例５）
第４レンズ群Ｌ４は、物体側のレンズ面が凸でメニスカス形状の負レンズＧ４１、両レンズ面が凸で、像側のレンズ面が非球面形状の正レンズＧ４２より構成している。このレンズ構成により、広角端において非点収差やコマ収差の補正を効果的におこなっている。また、負レンズＧ４１を有することで、軸上色収差の発生を軽減している。
【００８２】
さらに、実施例５では、広角端より望遠端へのズーミングに際し、第３レンズ群Ｌ３が開口絞りＳＰと一体的に像側へ移動している。これは、他の実施例に比べ、広角端において、第３レンズ群Ｌ３が物体側に配置されており、これにより、広角端の大口径比化に伴い大型化しやすい第４レンズ群Ｌ４や第５レンズ群Ｌ５のレンズ口径の小型化をはかっている。また、第３レンズ群Ｌ３とともに開口絞りＳＰが移動することにより、軸外マージナル光線をカットし、コマフレアを低減することで、光学性能の向上をはかっている。この他の構成は実施例１と同じである。
【００８３】
図１１は、実施例１のズームレンズにドームカバー１５又は保護カバー１７を装着したときの要部概略図である。ドームカバー１５や保護カバー１７は、ポリメチルメタクリレート（ＰＭＭＡ）やポリカーボネート（ＰＣ）等のプラスチック材料により数ミリ程度の厚さで成形されている。ドームカバー１５や保護カバー１７の影響（焦点距離や材質）を考慮してズームレンズを設計し、諸収差の補正を行っても良い。
【００８４】
図１２は、実施形態のズームレンズを撮像光学系として用いた撮像装置（監視カメラ）の要部概略図である。図１２（Ａ）において、１１は、監視カメラ本体、１２は、カメラ本体に内蔵され、レンズ部１６によって形成された被写体像を受光するＣＣＤセンサやＣＭＯＳセンサ等の撮像素子（光電変換素子）である。１３は、撮像素子１２によって光電変換された被写体像に対応する情報を記録するメモリ部である。１４は、撮像素子１２によって光電変換された被写体像を転送するためのネットワークケーブルである。
【００８５】
図１２（Ｂ）は、撮像装置１０にドーム状のカバー１５を装着し天井に取り付けて使用したときの例である。撮像装置１０としては監視カメラに限定されることなく、ビデオカメラやデジタルカメラ等においても用いることができる。
【００８６】
図１４（Ａ）、（Ｂ）、（Ｃ）は実施例１のズームレンズのズーミングによる各レンズ群のズーム軌跡を示す図である。
【００８７】
以上のように、各実施例によれば広角端において大口径比化へ対応しつつも、高いズーム比を有し、小型でかつ高い光学性能を有したズームレンズおよびそれを有する撮像装置を得ることができる。
【００８８】
なお各実施例においては以下のような手段構成をとっても良い。
・実施例に示したガラスの形状、枚数に限定されず、適宜変更すること。
・一部のレンズおよびレンズ群を光軸に対して垂直方向の成分を持つように移動させ、これにより手ぶれ等の振動に伴う像ブレを補正すること。
・電気的な補正手段により、歪曲収差や色収差などを補正すること。
【００８９】
以上、本発明の好ましい実施形態について説明したが、本発明はこれらの実施形態や光学仕様（画角やＦｎｏ）に限定されず、その要旨の範囲内で種々の変形が可能である。
【００９０】
例えば、各実施例に係るズームレンズは、後群が三つのレンズ群から成り、全系が八つのレンズ群から成る構成を採っているが、これに限られるものではない。すなわち、後群が一つ以上のレンズ群を有してさえいれば、本発明の効果を得ることができる。
【００９１】
なお、各実施例のズームレンズと、ズームレンズを制御する制御部とを含めた撮像システム（監視カメラシステム）を構成してもよい。この場合、制御部は、ズーミングやフォーカシング、像ブレ補正に際して各レンズ群が上述したように移動するようズームレンズを制御することができる。このとき、制御部がズームレンズと一体的に構成されている必要はなく、制御部をズームレンズとは別体として構成してもよい。例えば、ズームレンズの各レンズを駆動する駆動部に対して遠方に配置された制御部（制御装置）が、ズームレンズを制御するための制御信号（命令）を送る送信部を備える構成を採用してもよい。このような制御部によれば、ズームレンズを遠隔操作することができる。
【００９２】
また、ズームレンズを遠隔操作するためのコントローラーやボタンなどの操作部を制御部に設けることで、ユーザーの操作部への入力に応じてズームレンズを制御する構成を採ってもよい。例えば、操作部として拡大ボタン及び縮小ボタンを設け、ユーザーが拡大ボタンを押したらズームレンズの倍率が大きくなり、ユーザーが縮小ボタンを押したらズームレンズの倍率が小さくなるようにする。例えば、制御部からズームレンズの駆動部に信号が送られるように構成すればよい。
【００９３】
また、撮像システムは、ズームレンズのズームに関する情報（移動状態）を表示する液晶パネルなどの表示部を有していてもよい。ズームレンズのズームに関する情報とは、例えばズーム倍率（ズーム状態）や各レンズ群の移動量（移動状態）である。この場合、表示部に示されるズームレンズのズームに関する情報を見ながら、操作部を介してユーザーがズームレンズを遠隔操作することができる。このとき、例えばタッチパネルなどを採用することで表示部と操作部とを一体化してもよい。
【００９４】
以下に、実施例１乃至５に各々対応する数値データ１乃至５を示す。各数値データにお
いて、ｒｉは物体側より順に第ｉ番目の面の曲率半径、ｄｉは第ｉ番目の面と第ｉ＋１番
目の面の間隔（レンズ厚あるいは空気間隔）、ｎｄｉとνｄｉはそれぞれ第ｉ番目のレン
ズの材料の屈折率とアッベ数を示す。また、数値データ１乃至５では、最も像側の２つの
面はガラスブロックに相当する平面である。
【００９５】
ＢＦはバックフォーカスであり、レンズ最終面から近軸像面までの距離を空気換算長に
より表したものである。レンズ全長は第１レンズ面から最終レンズ面までの長さに、バッ
クフォーカスＢＦの値を加えた長さである。画角に関しては、歪曲収差を考慮した撮影可能画角に関する半画角（ω）の数値である。「ｅ±ｘ」の表示は「１０±ｘ」を意味する。
【００９６】
また、光学面が非球面の場合は、面番号の右側に、＊の符号を付している。非球面形状は、Ｘを光軸方向の面頂点からの変位量、ｈを光軸と垂直な方向の光軸からの高さ、Ｒを近軸曲率半径、ｋを円錐定数、Ａ４、Ａ６、Ａ８、Ａ１０を各次数の非球面係数とするとき、以下の式で表される。
【００９７】
【数１】
2020085915.tif 000003
【００９８】
（数値データ１）
単位mm
面データ
面番号       r        d      nd         vd
1        192.868    1.00   2.00100    29.1           
2         52.457    5.78   1.49700    81.6           
3       -155.074    0.15                             
4         47.603    4.32   1.49700    81.6           
5      -26412.092    0.15                             
6         39.101    2.86   1.80420    46.5           
7         89.082  (可変)                             
8         47.654    0.60   2.00100    29.1           
9          8.572    4.51                             
10        -14.881    0.50   1.88100    40.1           
11         29.796    2.87   1.95906    17.5           
12        -17.255    0.36                             
13*       -13.788    0.50   1.85135    40.1           
14*       -39.834  (可変)                             
15(絞り)    ∞       0.50                             
16*        20.746    3.95   1.58313    59.5           
17*     -1017.063  (可変)                             
18        -82.034    0.70   1.87070    40.7           
19        282.808    0.30                             
20         26.618    5.56   1.49710    81.6           
21*       -21.838  (可変)                             
22         35.513    0.70   1.68893    31.2           
23         12.160  (可変)                             
24*        10.103    7.44   1.49710    81.6           
25        -15.185    0.70   1.90043    37.4           
26        -21.334  (可変)                             
27*        82.900    0.50   1.82080    42.7           
28*         7.794  (可変)                             
29*        14.587    2.20   1.53110    55.9           
30*       -12.327    1.60                             
31          ∞       0.80   1.51633    64.1           
32          ∞       3.30                             
像面        ∞   
非球面データ
第13面
K =-9.98404e-001  A 4= 3.11116e-004  A 6=-2.28562e-005  A 8= 6.74263e-007  A10=-1.12411e-008  A12= 7.79626e-011  
第14面
K = 0.00000e+000  A 4= 2.99290e-004  A 6=-2.15921e-005  A 8= 6.54533e-007  A10=-1.06880e-008  A12= 7.33937e-011  
第16面
K = 1.08974e+000  A 4=-7.96580e-005  A 6=-1.49817e-007  A 8=-2.37906e-010  A10=-7.23054e-013  A12=-2.37209e-014  
第17面
K =-2.97447e+000  A 4=-5.25774e-005  A 6=-2.13044e-009  A 8= 3.04282e-010  A10=-4.06542e-012  A12=-3.29668e-015  
第21面
K =-1.82278e+000  A 4= 3.61783e-005  A 6=-2.18259e-007  A 8= 2.48603e-010  A10= 5.11328e-012  A12=-2.46197e-014  
第24面
K =-1.80865e+000  A 4= 1.31595e-004  A 6=-5.63920e-007  A 8= 1.09369e-009  A10= 2.58772e-011  A12=-1.86678e-013  
第27面
K = 0.00000e+000  A 4=-2.70251e-004  A 6= 3.11073e-005  A 8=-2.27915e-006  A10= 7.71216e-008  A12=-1.07888e-009  
第28面
K =-2.05966e-001  A 4=-2.52914e-004  A 6= 3.56058e-005  A 8=-2.91122e-006  A10= 1.13891e-007  A12=-2.11780e-009  
第29面
K = 4.26418e-002  A 4= 2.04031e-004  A 6=-2.05079e-005  A 8= 3.16089e-006  A10=-1.72092e-007  A12= 5.19882e-009  
第30面
K =-8.40917e+000  A 4= 6.32153e-005  A 6=-3.38167e-005  A 8= 5.50616e-006  A10=-3.24161e-007  A12= 9.17790e-009  
各種データ
ズーム比     38.45 
広角     中間     望遠
焦点距離       4.42    36.90   170.00  
Fナンバー      1.20     4.09     4.90  
半画角（度）  36.5      4.67     1.03  
像高           3.20     3.20     3.20  
レンズ全長   112.98   112.98   112.98  
BF             5.43     5.43     5.43  
d 7            0.70    27.16    34.63  
d14           36.06     9.59     2.13  
d17            8.99     3.68     1.03  
d21            1.03     5.57     8.58  
d23            8.02     1.86     6.20  
d26            4.94    10.14     1.10  
d28            1.70     3.43     7.76  
レンズ群データ
群  始面    焦点距離  
1    1      47.01  
2    8      -6.70  
3   15      34.91  
4   18      36.19  
5   22     -27.17  
6   24      16.51  
7   27     -10.51  
8   29      12.95  
（数値データ２）
単位mm
面データ
面番号       r        d      nd         vd
1        175.605    1.00   2.00100    29.1           
2         49.936    5.69   1.49700    81.6           
3       -191.785    0.15                             
4         48.114    4.42   1.49700    81.6           
5      -1243.772    0.15                             
6         39.763    2.97   1.80420    46.5           
7         98.720  (可変)                             
8        106.344    0.60   2.00100    29.1           
9          9.661    3.98                             
10        -19.084    0.50   1.88100    40.1           
11         23.444    2.99   1.95906    17.5           
12        -18.243    0.44                             
13*       -14.000    0.50   1.85135    40.1           
14*       -90.301  (可変)                             
15(絞り)    ∞       0.50                             
16*        22.073    3.31   1.58313    59.5           
17*     -1015.146  (可変)                             
18         49.205    0.70   2.00069    25.5           
19         45.190    4.94   1.49710    81.6           
20*       -22.653  (可変)                             
21         27.290    0.70   1.85478    24.8           
22         13.575  (可変)                             
23*        11.180    6.56   1.49710    81.6           
24        -16.751    0.70   1.88300    40.8           
25        -24.002  (可変)                             
26*        99.349    0.50   1.82080    42.7           
27*         8.012  (可変)                             
28*        12.331    1.98   1.53110    55.9           
29*       -15.532    1.60                             
30          ∞       0.80   1.51633    64.1           
31          ∞       3.30                             
像面        ∞   
非球面データ
第13面
K =-1.61140e+000  A 4= 1.13276e-004  A 6=-1.44294e-005  A 8= 4.84763e-007  A10=-8.23059e-009  A12= 5.46964e-011  
第14面
K = 0.00000e+000  A 4= 1.31949e-004  A 6=-1.36538e-005  A 8= 4.76116e-007  A10=-8.06938e-009  A12= 5.40336e-011  
第16面
K =-6.35817e-002  A 4=-8.85470e-005  A 6=-3.30449e-007  A 8= 5.87486e-010  A10= 1.07697e-011  A12=-2.74971e-014  
第17面
K = 0.00000e+000  A 4=-7.02153e-005  A 6=-1.94076e-007  A 8= 1.67366e-009  
第20面
K =-6.45656e-001  A 4= 4.36193e-005  A 6=-3.75203e-007  A 8= 1.46834e-010  A10= 1.18668e-011  A12=-4.15034e-014  
第23面
K =-1.60939e+000  A 4= 8.91894e-005  A 6=-3.38788e-007  A 8=-1.91394e-009  A10= 8.64090e-011  A12=-2.33937e-013  
第26面
K = 0.00000e+000  A 4=-2.90300e-004  A 6= 3.75777e-005  A 8=-3.15181e-006  A10= 1.21322e-007  A12=-2.21623e-009  
第27面
K = 2.34340e-001  A 4=-3.99659e-004  A 6= 3.90620e-005  A 8=-3.77659e-006  A10= 1.65676e-007  A12=-4.01980e-009  
第28面
K =-6.96237e-001  A 4= 2.29958e-004  A 6=-8.87743e-006  A 8= 2.88428e-006  A10=-2.11404e-007  A12= 8.04361e-009  
第29面
K = 3.26573e+000  A 4= 7.05748e-004  A 6=-3.91401e-005  A 8= 7.00985e-006  A10=-4.90830e-007  A12= 1.58899e-008  
各種データ
ズーム比     38.45 
広角     中間     望遠
焦点距離       4.42    38.97   170.00  
Fナンバー      1.20     4.09     4.90  
半画角（度）  37.7      4.45     1.02  
像高           3.20     3.20     3.20  
レンズ全長   108.03   108.03   108.03  
BF             5.43     5.43     5.43  
d 7            0.70    27.01    34.44  
d14           35.86     9.55     2.13  
d17            7.49     2.97     1.03  
d20            1.03     3.36     6.57  
d22            7.81     1.54     6.04  
d25            4.72    10.71     1.10  
d27            1.69     4.18     8.02  
レンズ群データ
群  始面    焦点距離  
1    1      46.64  
2    8      -6.60  
3   15      37.09  
4   18      32.91  
5   21     -32.36  
6   23      18.12  
7   26     -10.64  
8   28      13.27  
（数値データ３）
単位mm
面データ
面番号       r        d      nd         vd
1        193.168    1.00   2.00100    29.1           
2         52.689    5.69   1.49700    81.6           
3       -167.056    0.15                             
4         48.383    4.32   1.49700    81.6           
5      -2778.159    0.15                             
6         39.172    2.83   1.80420    46.5           
7         88.160  (可変)                             
8         44.396    0.60   2.00100    29.1           
9          8.607    4.55                             
10        -15.339    0.50   1.88100    40.1           
11         29.842    2.71   1.95906    17.5           
12        -17.799    0.51                             
13*       -13.427    0.50   1.85135    40.1           
14*       -36.165  (可変)                             
15(絞り)    ∞       0.50                             
16*        22.831    3.66   1.55332    71.7           
17*      -490.481  (可変)                             
18       -133.038    0.70   1.88100    40.1           
19       -287.723    0.30                             
20         31.645    5.63   1.49710    81.6           
21*       -21.880  (可変)                             
22        -77.691    0.70   1.58144    40.9           
23         16.920  (可変)                             
24*        12.055    4.35   1.49710    81.6           
25       -338.773    0.30                             
26         25.908    0.60   1.90366    31.3           
27         14.866    4.23   1.49700    81.6           
28        -29.548  (可変)                             
29*       231.884    0.50   1.82080    42.7           
30*         7.770  (可変)                             
31*        12.909    2.05   1.53110    55.9           
32*       -14.137    1.60                             
33          ∞       0.80   1.51633    64.1           
34          ∞       3.30                             
像面        ∞   
非球面データ
第13面
K =-1.12335e+000  A 4= 3.18868e-004  A 6=-2.38069e-005  A 8= 6.69573e-007  A10=-1.09703e-008  A12= 7.31098e-011  
第14面
K = 0.00000e+000  A 4= 3.13442e-004  A 6=-2.24999e-005  A 8= 6.54634e-007  A10=-1.05650e-008  A12= 7.10846e-011  
第16面
K = 1.17167e+000  A 4=-7.52168e-005  A 6=-2.78717e-007  A 8= 3.54537e-010  A10=-4.40650e-013  A12= 1.12041e-015  
第17面
K = 5.75067e-001  A 4=-5.37355e-005  A 6=-2.14684e-007  A 8= 1.63065e-009  A10=-6.98146e-012  A12= 1.55734e-014  
第21面
K =-1.76885e+000  A 4= 3.72855e-005  A 6=-9.07106e-008  A 8=-2.43304e-009  A10= 2.15715e-011  A12=-5.53072e-014  
第24面
K =-1.98602e+000  A 4= 6.33198e-005  A 6=-3.51763e-007  A 8=-2.51803e-010  A10= 2.50438e-012  A12= 5.86913e-014  
第29面
K = 0.00000e+000  A 4=-3.69166e-004  A 6= 3.04845e-005  A 8=-2.44012e-006  A10= 1.18617e-007  A12=-2.42984e-009  
第30面
K =-5.21767e-001  A 4=-3.07312e-004  A 6= 3.59631e-005  A 8=-3.61869e-006  A10= 2.12979e-007  A12=-5.27781e-009  
第31面
K =-2.68226e+000  A 4= 3.58460e-004  A 6=-1.19324e-005  A 8= 2.89999e-006  A10=-1.73890e-007  A12= 6.12833e-009  
第32面
K =-1.14918e+001  A 4= 7.52555e-005  A 6=-2.24738e-005  A 8= 5.42584e-006  A10=-3.54085e-007  A12= 1.13378e-008  
各種データ
ズーム比     38.45 
広角     中間     望遠
焦点距離       4.42    36.96   170.00  
Fナンバー      1.20     4.09     4.90  
半画角（度）  36.6      4.69     1.03  
像高           3.20     3.20     3.20  
レンズ全長   112.85   112.85   112.85  
BF             5.43     5.43     5.43  
d 7            0.70    27.54    35.11  
d14           36.54     9.70     2.13  
d17            7.89     4.46     1.03  
d21            1.03     4.07     7.69  
d23            7.82     1.44     5.69  
d28            4.70     9.64     1.10  
d30            1.70     3.53     7.63  
レンズ群データ
群  始面    焦点距離  
1    1      47.78  
2    8      -6.80  
3   15      39.53  
4   18      29.44  
5   22     -23.83  
6   24      16.25  
7   29      -9.80  
8   31      13.05  
（数値データ４）
単位mm
面データ
面番号       r        d      nd         vd
1        184.034    1.00   2.00100    29.1           
2         53.166    5.65   1.49700    81.6           
3       -164.268    0.15                             
4         48.220    4.17   1.49700    81.6           
5       2013.294    0.15                             
6         41.262    2.79   1.80420    46.5           
7         98.253  (可変)                             
8         77.633    0.60   2.00100    29.1           
9          9.718    4.96                             
10        -17.628    0.50   1.88100    40.1           
11         39.463    2.75   1.95906    17.5           
12        -15.884    0.40                             
13*       -12.145    0.50   1.85135    40.1           
14*       -54.518  (可変)                             
15(絞り)    ∞       0.50                             
16*        33.416    3.71   1.69350    53.2           
17*       -57.854  (可変)                             
18        -52.613    0.70   1.83481    42.7           
19        137.628    0.30                             
20         21.500    6.54   1.49710    81.6           
21*       -17.777  (可変)                             
22        601.185    0.70   1.68893    31.2           
23         16.074  (可変)                             
24*        10.863    6.29   1.49710    81.6           
25        -18.184    0.70   1.95375    32.3           
26        -22.126  (可変)                             
27*       122.445    0.50   1.82080    42.7           
28*         7.835  (可変)                             
29*        12.408    2.34   1.53110    55.9           
30*       -12.958    1.60                             
31          ∞       0.80   1.51633    64.1           
32          ∞       3.30                             
像面        ∞   
非球面データ
第13面
K =-1.11951e+000  A 4= 2.66669e-004  A 6=-2.13644e-005  A 8= 6.88442e-007  A10=-1.14295e-008  A12= 7.82842e-011  
第14面
K = 0.00000e+000  A 4= 2.75922e-004  A 6=-2.02191e-005  A 8= 6.70500e-007  A10=-1.11115e-008  A12= 7.58020e-011  
第16面
K = 1.89298e+000  A 4=-5.80153e-005  A 6=-1.88512e-008  A 8=-3.36471e-010  A10=-9.96177e-013  A12= 1.41905e-014  
第17面
K =-4.27831e-001  A 4=-3.99378e-005  A 6= 3.27124e-008  A 8=-1.01685e-010  A10=-3.25732e-012  A12= 1.77269e-014  
第21面
K =-1.31954e+000  A 4= 5.22602e-005  A 6=-2.75952e-007  A 8= 1.56637e-009  A10=-4.78558e-012  A12= 6.04147e-015  
第24面
K =-2.00005e+000  A 4= 9.79429e-005  A 6=-8.97580e-007  A 8= 7.05581e-009  A10=-6.94749e-011  A12= 3.43123e-013  
第27面
K = 0.00000e+000  A 4= 7.65881e-005  A 6= 3.25476e-006  A 8=-9.19331e-007  A10= 4.57365e-008  A12=-8.35228e-010  
第28面
K = 4.08779e-001  A 4=-5.62943e-005  A 6= 3.71334e-006  A 8=-1.52158e-006  A10= 8.13340e-008  A12=-1.99643e-009  
第29面
K =-9.81089e-001  A 4= 3.18234e-004  A 6=-2.52157e-005  A 8= 3.47716e-006  A10=-1.75022e-007  A12= 4.63888e-009  
第30面
K =-1.37270e+001  A 4=-4.31950e-005  A 6=-2.79660e-005  A 8= 5.28724e-006  A10=-3.00687e-007  A12= 7.91366e-009  
各種データ
ズーム比     38.45 
広角     中間     望遠
焦点距離       4.42    36.15   170.00  
Fナンバー      1.20     4.09     4.90  
半画角（度）  37.1      4.76     1.02  
像高           3.20     3.20     3.20  
レンズ全長   113.03   113.03   113.03  
BF             5.43     5.43     5.43  
d 7            0.70    27.86    35.52  
d14           36.95     9.79     2.13  
d17            8.23     3.76     1.03  
d21            1.03     5.49     8.23  
d23            7.84     1.59     6.12  
d26            5.27    10.37     1.10  
d28            1.70     2.85     7.59  
レンズ群データ
群  始面    焦点距離  
1    1      48.23  
2    8      -6.70  
3   15      31.06  
4   18      33.80  
5   22     -23.98  
6   24      16.69  
7   27     -10.22  
8   29      12.33  
（数値データ５）
単位mm
面データ
面番号       r        d      nd         vd
1        189.189    1.00   2.00100    29.1           
2         51.115    5.81   1.49700    81.6           
3       -160.255    0.15                             
4         47.597    4.40   1.49700    81.6           
5      -2308.818    0.15                             
6         39.321    2.94   1.80420    46.5           
7         94.363  (可変)                             
8         96.307    0.60   2.00100    29.1           
9          9.237    4.08                             
10        -17.099    0.50   1.88100    40.1           
11         33.304    2.97   1.95906    17.5           
12        -15.375    0.33                             
13*       -13.832    0.50   1.85135    40.1           
14*      -688.005  (可変)                             
15(絞り)    ∞       0.50                             
16*        23.666    3.23   1.58313    59.5           
17*     -1005.015  (可変)                             
18         51.825    0.70   1.87070    40.7           
19         40.975    0.30                             
20         20.098    5.86   1.49710    81.6           
21*       -25.678  (可変)                             
22         48.331    0.70   1.68893    31.2           
23         11.927  (可変)                             
24*        10.443    7.14   1.49710    81.6           
25        -14.289    0.70   1.90043    37.4           
26        -20.953  (可変)                             
27*        68.486    0.50   1.82080    42.7           
28*         8.922  (可変)                             
29*        15.174    1.96   1.53110    55.9           
30*       -13.669    1.60                             
31          ∞       0.80   1.51633    64.1           
32          ∞       3.30                             
像面        ∞   
非球面データ
第13面
K =-9.90104e-001  A 4= 2.94578e-004  A 6=-2.01034e-005  A 8= 6.01308e-007  A10=-9.56234e-009  A12= 6.03675e-011  
第14面
K = 0.00000e+000  A 4= 2.86753e-004  A 6=-1.97416e-005  A 8= 6.28198e-007  A10=-1.02402e-008  A12= 6.76828e-011  
第16面
K = 1.36514e+000  A 4=-1.02371e-004  A 6=-1.41285e-007  A 8= 2.96912e-009  A10=-3.51911e-011  A12= 1.17740e-013  
第17面
K = 3.00000e+000  A 4=-7.60715e-005  A 6= 2.81676e-009  A 8= 2.62387e-009  A10=-3.24417e-011  A12= 1.09351e-013  
第21面
K =-2.00000e+000  A 4= 5.22260e-005  A 6=-4.48574e-007  A 8= 2.77588e-009  A10=-8.59335e-012  A12= 6.77364e-015  
第24面
K =-1.72561e+000  A 4= 1.21144e-004  A 6=-6.53218e-007  A 8= 3.08637e-009  A10=-6.33379e-012  A12= 6.86621e-014  
第27面
K = 0.00000e+000  A 4=-9.80372e-006  A 6= 2.31585e-005  A 8=-1.91612e-006  A10= 7.36047e-008  A12=-1.26247e-009  
第28面
K =-5.24978e-001  A 4= 9.88050e-005  A 6= 3.18966e-005  A 8=-2.80821e-006  A10= 1.35978e-007  A12=-3.16913e-009  
第29面
K = 2.51684e-001  A 4= 2.31678e-004  A 6=-1.08269e-005  A 8= 2.69736e-006  A10=-1.53405e-007  A12= 5.53643e-009  
第30面
K =-2.64070e+000  A 4= 5.48424e-004  A 6=-3.67659e-005  A 8= 5.50884e-006  A10=-3.28604e-007  A12= 1.04079e-008  
各種データ
ズーム比     38.45 
広角     中間     望遠
焦点距離       4.42    36.67   170.00  
Fナンバー      1.20     4.09     4.90  
半画角（度）  37.3      4.69     1.02  
像高           3.20     3.20     3.20  
レンズ全長   113.03   113.03   113.03  
BF             5.43     5.43     5.43  
d 7            0.70    26.79    34.15  
d14           30.31     9.28     2.13  
d17           13.72     4.74     1.03  
d21            1.03     4.77     8.18  
d23            9.89     1.96     7.78  
d26            5.24    10.22     1.10  
d28            1.70     4.82     8.22  
レンズ群データ
群  始面    焦点距離  
1    1      46.30  
2    8      -6.11  
3   15      39.70  
4   18      26.30  
5   22     -23.17  
6   24      17.07  
7   27     -12.55  
8   29      13.87  
前述の各条件式と数値データにおける諸数値との関係を表１に示す。
【００９９】
【表１】
2020085915.tif 000004
【符号の説明】
【０１００】
Ｌ０    ズームレンズ
Ｌ１    第１レンズ群
Ｌ２    第２レンズ群
Ｌ３    第３レンズ群
Ｌ４    第４レンズ群
Ｌ５    第５レンズ群
ＬＲ    後群
【図１】
2020085915.tif 000005
【図２】
2020085915.tif 000006
【図３】
2020085915.tif 000007
【図４】
2020085915.tif 000008
【図５】
2020085915.tif 000009
【図６】
2020085915.tif 000010
【図７】
2020085915.tif 000011
【図８】
2020085915.tif 000012
【図９】
2020085915.tif 000013
【図１０】
2020085915.tif 000014
【図１１】
2020085915.tif 000015
【図１２】
2020085915.tif 000016
【図１３】
2020085915.tif 000017